(57)【要約】【課題】キャップを開封用環状帯を取外して開封使用中にキャップ本体を紛失したり汚したり他のキャップを間違えてスパウトに螺着したりすることがなく廃棄処理時に分別回収し易い不正開封防止環付キャップを提供する。【解決手段】上方から内周面に雌ネジを設けたキャップ本体100と、横方向の開封開始先端に開封つまみ部121を設けた開封用環状帯120と、スパウト200と摺動回転可能な咬合リング222を設けた取付リング130とからなり、キャップ本体の後方下端と取付リングの対向上端とを折り曲げ可能に幅狭薄肉で垂直な接続帯で接続し、接続帯の両側のキャップ本体と取付リング間に、開封用環状帯を、キャップ本体の下端に開封用環状帯の上端を環状易破断線242を介して接続し、取付リングの上端に開封用環状帯の下端を環状易破断線を介して接続し、スパウトに打栓方式で装着時、キャップ本体の雌ネジ114の下方先端がスパウトの雄ネジ221の上方先端に螺合しない。【選択図】図１
2005053542.tif 000002
【特許請求の範囲】
【請求項１】
液体用紙容器の注出位置に突設するプルリングで開封するスパウトの注出筒に、打栓方式で装着するキャップであって、上方から内周面に前記スパウトとの雌ネジを設けたキャップ本体と、横方向の開封開始先端に開封つまみ部を設けた開封用環状帯と、内周面下端部に前記スパウトと摺動回転可能な咬合リングを設けた取付リングとから構成され、前記キャップ本体の後方下端と前記取付リングの対向上端とを、折り曲げ可能に幅狭薄肉で垂直な接続帯で接続し、該接続帯の両側のキャップ本体と取付リング間に、前記開封用環状帯を、前記キャップ本体の下端に前記開封用環状帯の上端を環状易破断線を介して接続し、かつ前記取付リングの上端に前記開封用環状帯の下端を環状易破断線を介して接続して設け、前記スパウトに打栓方式で装着したときに、前記キャップ本体の雌ネジの下方先端が、前記スパウトの雄ネジの上方先端に螺合していないことを特徴とする不正開封防止機能付キャップ。
【請求項２】
前記環状易破断線が、薄肉脆弱線であることを特徴とする請求項１記載の不正開封防止機能付キャップ。
【請求項３】
前記環状易破断線が、複数の脆弱接続片で周方向へ等間隔に接続するスリット線であることを特徴とする請求項１記載の不正開封防止機能付キャップ。
【請求項４】
前記接続帯の左右片側の下端から取付リングの下端まで薄肉脆弱線を形成したことを特徴とする請求項１乃至３記載の不正開封防止機能付キャップ。
【発明の詳細な説明】
【技術分野】
【０００１】
本発明は、果汁飲料、調味料、酒類などに用いられる液体用紙容器の注出位置に突設されたプルリング付スパウトに、打栓方式で装着される不正開封防止機能付キャップに関するものである。
【背景技術】
【０００２】
従来、食品などの液体内容物に使用される液体用紙容器（３００）は、例えば図４に示すように、胴部（３１０）が四角筒状で、切り妻屋根形の頂部傾斜板（３２０）に、キャップ（１００）とスパウト（２００）とからなる口栓（１０）が突設されたものが、広い用途範囲にわたって使用されていた。そして、この口栓のスパウトには、流通過程での密封性の完全さやバージン性の確保、使用時の易開封性を兼ね備えるために、スパウトの注出筒の下方内側に封鎖板を設けて封止し、使用時に開口するため、封鎖板の上面の開口予定位置に環状薄肉脆弱線を形成し、この環状薄肉脆弱線の内側近傍の上面に、先端にプルリングをもつ支柱を立設したものが使用されていた。この口栓は、開口するときには、キャップを取り外し、スパウトの注出筒の内側に収容されているプルリングに指先を掛けて上方へ引っ張って、封鎖板の環状薄肉脆弱線を破断して開口していた。なお、開口したスパウトは、使用したのち、キャップを注出筒に螺着させて再封止していた。ところが、この口栓では、流通過程で誤って又は故意に開封されても、商品の外観からは判断することが難しく、商品のバージン性が損なわれたり、商品の内容物に悪影響を及ぼすことがあり、この対策として、キャップに不正開封防止機能付キャップが使用されるようになってきた。
【発明の開示】
【発明が解決しようとする課題】
【０００３】
しかしながら、従来の不正開封防止機能付キャップ（１００）は、例えば図３（ａ）に示すように、上方からキャップ本体（１１０）と開封用環状帯（１２０）と取付リング（１３０）とから構成され、開封用環状帯は、キャップ本体と取付リングに環状易破断線（１０１，１０２）で分離可能に接続しており、また、開封用環状帯には、開封開始位置に開封用つまみ部（１２１）が形成されていた。
【０００４】
そして、液体用紙容器の注出位置に突設されたスパウトに装着されたキャップを開封するときは、開封用環状帯の開封用つまみ部を指で摘んで引っ張って、キャップ本体及び取付リングと接続する環状易破断線を破断して、開封用環状帯を、キャップ本体及び取付リングから取り外すものである。取付リングは、スパウトに咬合リングなどにより取り付いたままであるが、キャップ本体は、スパウト及び取付リングから分離している。なお、使用後に、スパウトを再封止するときは、図３（ｂ）に示すように、スパウト（２００）にキャップ本体（１００）を螺着させて封止するものである。
【０００５】
従って、キャップ本体（１００）が、図３（ｃ）に示すように、スパウト（２００）から完全に取り外されているため、使用中に、キャップ本体を、誤って紛失したり、床に落として汚したり、他のキャップを間違えてスパウトに螺着したりすることなどがあった。また、使用後の廃棄処理時に、キャップの取付リングが、スパウトに咬合により取り付いたままであるため、分別回収がしにくいことなどがあった。
【０００６】
本発明は、上述の従来の不正開封防止機能付キャップの問題点を解決したものであり、スパウトに装着されたキャップを、開封用環状帯を取り外して開封して使用中に、キャップ本体を誤って紛失したり、持っていたり、床に落として汚したり、他のキャップを間違
えてスパウトに螺着したりすることがなく、流通過程で誤って又は故意に開封されたことが外観から明確に判明可能であり、また、使用後の廃棄処理時に、分別回収し易い不正開封防止機能付キャップを提供するものである。
【課題を解決するための手段】
【０００７】
すなわち、本発明の第１の発明は、液体用紙容器の注出位置に突設するプルリングで開封するスパウトの注出筒に、打栓方式で装着するキャップであって、上方から内周面に前記スパウトとの雌ネジを設けたキャップ本体と、横方向の開封開始先端に開封つまみ部を設けた開封用環状帯と、内周面下端部に前記スパウトと摺動回転可能な咬合リングを設けた取付リングとから構成され、前記キャップ本体の後方下端と前記取付リングの対向上端とを、折り曲げ可能に幅狭薄肉で垂直な接続帯で接続し、この接続帯の両側のキャップ本体と取付リング間に、前記開封用環状帯を、前記キャップ本体の下端に前記開封用環状帯の上端を環状易破断線を介して接続し、かつ前記取付リングの上端に前記開封用環状帯の下端を環状易破断線を介して接続して設け、前記スパウトに打栓方式で装着したときに、前記キャップ本体の雌ネジの下方先端が、前記スパウトの雄ネジの上方先端に螺合していないことを特徴とする不正開封防止機能付キャップである。
【０００８】
次に、本発明の第２の発明は、前記環状易破断線が、薄肉脆弱線であることを特徴とする第１の発明に記載の不正開封防止機能付キャップである。
【０００９】
次に、本発明の第３の発明は、前記環状易破断線が、複数の脆弱接続片で周方向へ等間隔に接続するスリット線であることを特徴とする第１の発明に記載の不正開封防止機能付キャップである。
【００１０】
そして、本発明の第４の発明は、前記接続帯の左右片側の下端から取付リングの下端まで薄肉脆弱線を形成したことを特徴とする第１乃至第３の発明に記載の不正開封防止機能付キャップである。
【発明の効果】
【００１１】
液体用紙容器の注出位置に突設されたスパウトに装着された本発明の不正開封防止機能付キャップは、開封用環状帯の開封用つまみ部を指で摘んで引っ張ってキャップ本体及び取付リングと接続する薄肉脆弱線又はスリット線からなる環状易破断線を破断して、開封用環状帯をキャップ本体と取付リングから取り外してキャップを開封すると、キャップ本体がスパウトに取り付いてる取付リングに接続帯に繋がっているため、使用中にキャップ本体を誤って紛失したり、持っていたり、床に落としたり、他のキャップと間違えてスパウトに螺着したりすることがない。
【００１２】
また、本発明の不正開封防止機能付キャップは、接続帯の左右片側の下端から取付リングの下端まで薄肉脆弱線を形成して置くと、使用後に廃棄処理するときに、キャップ本体がスパウトに取り付いている取付リングと接続帯で繋がっているため、キャップ本体を引っ張ることにより取付リングの上述の薄肉脆弱線が破断して、キャップをスパウトから取り外すことができ、分別回収が容易である。
【００１３】
なお、本発明の不正開封防止機能付キャップは、開封用環状帯を取り外さない限り開封することが不可能であるため、流通過程で誤って又は故意に開封されたことが外観から明確に判明可能である。
【発明を実施するための最良の形態】
【００１４】
次に、本発明の不正開封防止機能付キャップの一実施形態について、図を用いて詳細に説明する。
【００１５】
図１（ａ）は、本実施形態の不正開封防止機能付キャップを液体用紙容器に突設するスパウトに装着したときの側面図であり後方から見た開封前の状態を示し、図１（ｂ）は、側面から見た開封後に再封止したとき状態を示し、図１（ｃ）は、側面から見た開封して使用するときの状態を示すものである。図２は、本実施形態の不正開封防止機能付キャップを、液体用紙容器に突設するスパウトに装着したときの構造を示す断面図である。
【００１６】
本実施形態の不正開封防止機能付キャップ（１００）は、図２に示すように、液体用紙容器（３００）の頂部傾斜板（３２０）のスパウト取付孔（３２１）に突設するスパウト（２００）の注出筒（２２０）に打栓方式により装着するキャップであり、その構造は、図２に示すように、上方から、天板（１１１）下面にスパウトの注出筒（２２０）口部を封止するインナー封止リング（１１２）を垂設し周壁（１１３）内周面にスパウト（２００）の雄ネジ（２２１）と螺合する雌ネジ（１１４）を設けたキャップ本体（１１０）と、横方向の開封開始先端に図１（ａ）に示す開封つまみ部（１２１）を設けた開封用環状帯（１２０）と、内周面下端部にスパウトの咬合リング（２２２）と摺動回転可能な咬合リング（１３１）を設けた取付リング（１３０）とから構成されるものである。そして、図１（ａ）に示すように、キャップ本体（１１０）の後方下端と取付リング（１３０）の対向上端とを、図１（ｂ）に示すように折り曲げ可能で適度の剛性をもち幅狭薄肉で垂直な接続帯（１４０）で接続し、この接続帯（１４０）の両側のキャップ本体（１１０）と取付リング（１３０）間に、開封用環状帯（１２０）を、キャップ本体の下端に開封用環状帯の上端を環状易破断線（１０１）を介して接続し、取付リングの上端に開封用環状帯の下端を環状易破断線（１０２）を介して接続して設けるものである。なお、上述の環状易破断線は、薄肉脆弱線又は複数の脆弱接続片で周方向へ等間隔に接続するスリット線で形成するものであり、また、本実施形態の不正開封防止機能付キャップをスパウトに打栓方式で装着したときに、キャップ本体の雌ネジの下方先端が、スパウトの雄ネジの上方先端に螺合していないように製品設計するものである。なお、必要に応じては、使用後の廃棄処理時に分別回収し易いように、接続帯の左右片側の下端から取付リングの下端まで薄肉脆弱線を形成するものである。また、本実施形態の不正開封防止機能付キャップは、環状易破断線が破断可能な材質、例えば低密度ポリエチレン、直鎖低密度ポリエチレンなどの熱可塑性樹脂を用いて、射出成形法により作製されるものである。
【００１７】
そして、上述の本実施形態の不正開封防止機能付キャップを装着するスパウト（２００）の構造は、図２に示すように、外周下端に上面を液体用紙容器（３００）の内面に超音波シール法などで熱融着するフランジ（２３０）を周設する環状台座部（２１０）の上面に、外周面上方にキャップ（１００）の雌ネジ（１１４）との雄ネジ（２２１）を設け下方にキャップの咬合リング（１３１）と摺動可能に咬合する咬合リング（２２２）を設ける注出筒（２２０）を立設し、この注出筒の内側下方に封鎖板（２４０）を設けて封鎖し、この封鎖板の開口予定位置の下面に環状切込み（２４１）を設けて上面に環状薄肉脆弱線（２４２）を形成し、この環状薄肉脆弱線の前方内側近傍位置に上端にプルリング（２４４）をもつ支柱（２４３）を立設するものである。スパウトは、環状薄肉脆弱線が破断可能な材質、例えば低密度ポリエチレン、直鎖低密度ポリエチレンなどの熱可塑性樹脂を用いて、射出成形法により作製されるものである。
【００１８】
上述の本実施形態の不正開封防止機能付キャップ（１００）を、図１（ａ）に示すように、注出位置に突設するプルリング付スパウト（２００）に打栓方式により装着した液体用紙容器（３００）を開封するときは、まず、不正開封防止機能付キャップ（１００）の開封用環状帯（１２０）の開封用つまみ部（１２１）を指で摘んで引っ張って、キャップ本体（１１０）及び取付リング（１３０）と接続する環状薄肉脆弱線からなる環状易破断線（１０１）を破断して、開封用環状帯をキャップ本体及び取付リングから取り外し、キャップ本体（１１０）を、図１（ｃ）に示すように、後方へ開口する。キャップ本体（１
１０）は、図１（ｃ）に示すように、スパウト（２００）に取り付いている取付リング（１３０）と接続帯（１４０）により繋がっている。なお、スパウトに打栓方式で装着した状態では、キャップ本体の雌ネジの下方先端がスパウトの雄ネジの上方先端に螺合していないため、開封用環状帯を取り外したときに、キャップ本体を、そのままの状態で後方へ開口することができる。
【００１９】
次に、スパウトの注出筒内に収容されているプルリングを指で摘んで上方へ引っ張って封鎖板の開放予定位置に形成されている環状薄肉脆弱線を破断して、封鎖板を開口してスパウトを開封する。そして、液体用紙容器を傾斜させて、内容物をスパウトの口部から注出するものである。
【００２０】
そして、使用後にスパウトを再封止するときは、図１（ｂ）に示すように、スパウト（２００）にキャップ本体（１００）を螺着させて封止するものである。このとき、キャップ本体とスパウトに取り付いている取付リング（１３０）は、接続帯（１４０）により繋がっているため、キャップ本体の螺合回転に合わせて取付リングもスパウトに咬合状態で回転し、また、接続帯は、キャップ本体の螺合に合わせて折れ曲がるものである。なお、図２に示すように、キャップ本体（１００）をスパウト（２００）に螺着したときに、スパウトの注出筒（２２０）の口部は、キャップ本体（１００）の天板（１１１）から垂設するインナー封止リング（１１２）により封止されるものである。
【００２１】
また、接続帯の左右片側の下端から取付リングの下端まで薄肉脆弱線を形成して置くと、使用後の廃棄処理時に、キャップ本体を指で摘んで引っ張ると、スパウトに取り付いている取付リングとキャップ本体とは接続帯で繋がっているため、取付リングの薄肉脆弱線が破断されて、取付リングがキャップ本体と一緒にスパウトから分離する。このため、分別回収が容易となる。
【図面の簡単な説明】
【００２２】
【図１】本発明の一実施形態の不正開封防止機能付キャップを、液体用紙容器に突設するスパウトに装着したときの側面図であり、（ａ）は、後方から見た開封前の状態を示し、（ｂ）は、側面から見た開封後に再封止したとき状態を示し、（ｃ）は、側面から見た開封して使用するときの状態を示す。
【図２】本発明の一実施形態の不正開封防止機能付キャップを、液体用紙容器に突設するスパウトに装着したときの構造を示す断面図である。
【図３】従来の一例の不正開封防止機能付キャップを、液体用紙容器に突設するスパウトに装着したときの側面図であり、（ａ）は、開封前の状態を示し、（ｂ）は、開封後に再封止したとき状態を示し、（ｃ）は、開封して使用するときの状態を示す。
【図４】口栓を頂部傾斜板に突設する液体用紙容器の斜視図である。
【符号の説明】
【００２３】
１０……口栓
１００……キャップ
１０１，１０２……環状易破断線
１１０……キャップ本体
１１１……天板
１１２……インナー封止リング
１１３……周壁
１１４……雌ネジ
１２０……開封用環状帯
１２１……開封用つまみ部
１３０……取付リング
１３１……咬合リング
２００……スパウト
２１０……環状台座部
２２０……注出筒
２２１……雄ネジ
２２２……咬合リング
２３０……フランジ
２４０……封鎖板
２４１……環状切込み
２４２……環状薄肉易破断線
２４３……支柱
２４４……プルリング
３００……液体用紙容器
３１０……胴部
３２０……頂部傾斜板
３２１……スパウト取付孔
【図１】
2005053542.tif 000003
【図２】
2005053542.tif 000004
【図３】
2005053542.tif 000005
【図４】
2005053542.tif 000006